(57)【要約】【課題】自動巻腕時計の巻上げに好適に利用できるとともに、ブレスレットなどの宝飾品の展示にも有効に利用することのできる展示装置を提供する。【解決手段】腕時計等の展示物を保持する複数のホルダ４を、旋回台３の旋回軸心Ｘから外れた位置にそれぞれ自転可能に装備し、旋回台３の正逆方向の公転に連動してホルダ４が正逆方向に自転駆動されるよう構成してある。【選択図】        図１
2004212266.tif 000002
【特許請求の範囲】
【請求項１】
駆動旋回される旋回台の前面に、腕時計等の展示物を保持する複数のホルダを、旋回台の旋回軸心から外れた位置にそれぞれ自転可能に装備し、旋回台の旋回に連動して各ホルダが旋回軸心の周りを公転しながらそれぞれ自転駆動されることを特徴とする展示装置。
【請求項２】
請求項１記載の展示装置において、
前記旋回台の１回の旋回に対して前記ホルダが複数回自転する展示装置。
【請求項３】
請求項１または２に記載の展示装置において、
前記旋回台を駆動旋回可能に支持したケースを、スタンドに対して横軸心周りに角度調節可能に支持し、ケースの姿勢調節によって旋回台の前面の向きが変更可能である展示装置。
【請求項４】
請求項１〜３のいずれかに記載の展示装置において、
前記ホルダを、弾性的に拡縮可能なＣ形のバネ板材で構成してある展示装置。
【発明の詳細な説明】
【０００１】
【発明の属する技術分野】
本発明は、自動巻腕時計の巻上げに好適に利用できるとともに、ブレスレットなどの宝飾品の展示にも利用することのできる展示装置に関する。
【０００２】
【従来の技術】
従来、自動巻腕時計の自動ネジ巻き装置として、斜め板の正面に円錐回転体を設け、腕時計を嵌め付けた円錐回転体をゆっくり回転させることで腕時計内の振り子を揺動させてネジを巻くよう構成したものが提案されている（特許文献１参照）。
【０００３】
【特許文献１】
特開平１１−２１８５８１号公報
【０００４】
【発明が解決しようとする課題】
上記自動ネジ巻き装置は、自動ネジ巻き機能のみを備えたものであり、複数の高価な時計を所有するコレクターの観賞用、あるいは、店頭での商品展示用としては不十分なものである。つまり、この自動ネジ巻き装置では、１個の腕時計が円錐回転体に嵌め付けられて単に自転するだけであるので、動きが単純で興味をそそられることが少ないものであり、展示効果が期待しにくいものであった。
【０００５】
本発明は、このような点に着目してなされたものであって、複数個の腕時計の自動ネジ巻きを行うことができるとともに、注目度の高い展示を行うことができる展示装置を提供することを主たる目的とするものである。
【０００６】
【課題を解決するための手段】
本発明では、上記目的を達成するために、次のように構成している。
【０００７】
すなわち、請求項１に係る発明の展示装置は、駆動旋回される旋回台の前面に、腕時計等の展示物を保持する複数のホルダを、旋回台の旋回軸心から外れた位置にそれぞれ自転可能に装備し、旋回台の旋回に連動して各ホルダが旋回軸心の周りを公転しながらそれぞれ自転駆動されることを特徴とする。
【０００８】
ここで、公転とは、旋回軸心周りのホルダの回転をいいい、少なくとも一方向の回転、好ましくは、正逆方向の回転をいう。
【０００９】
また、自転とは、前記旋回軸心とは別のホルダ自身の軸心周りの回転をいい、少なくとも一方向の回転、好ましくは、正逆方向の回転をいう。
【００１０】
上記構成によると、複数の各ホルダに自動巻き型の腕時計を装着して旋回台を旋回させると、これに連動してホルダは旋回軸心周りに公転しながら自転することになり、腕時計に内蔵された振り子が揺動してネジが巻き上げられる。
【００１１】
この場合、各ホルダは公転しながら自転するという複雑な運動をするので、保持された腕時計は複雑に向きを変えながら照明を反射することになり、店頭などに置くと目につきやすく、注目度の高い展示を行うことができ、また、高価な腕時計を複数所有するコレクターの観賞用として優れたものとなる。
【００１２】
また、腕時計に代えてブレスレットなどの宝飾品をホルダに装着して展示すると、照明を一層華やかに反射して目立った存在となる。
【００１３】
請求項２に係る発明の展示装置は、請求項１の発明において、前記旋回台の１回の旋回に対して前記ホルダが複数回自転するものである。
【００１４】
上記構成によると、ホルダが旋回軸心周りに１回公転移動する間に複数回自転するので、自動巻き腕時計を装着した場合には、効率よくネジの巻上げを行うことができる。また、宝飾品などの展示用として利用する場合は、更に複雑な運動によって注目されやすくなる。
【００１５】
請求項３に係る発明の展示装置は、請求項１または２の発明において、前記旋回台を駆動旋回可能に支持したケースを、スタンドに対して横軸心周りに角度調節可能に支持し、ケースの姿勢調節によって旋回台の前面の向きを変更可能にしている。
【００１６】
上記構成によると、展示位置の高さや照明の状況に応じてケースの角度を調節して旋回台の前面の向きを変更することで、ホルダに装着した腕時計や宝飾品を最も目立つ状態で移動させることができる。
【００１７】
請求項４に係る発明の展示装置は、請求項１〜３のいずれかの発明において、前記ホルダを、弾性的に拡縮可能なＣ形のバネ板材で構成してある。
【００１８】
上記構成によると、ホルダを撓ませて縮径させた状態で腕時計やブレスレットを嵌め付け、ホルダを弾性復元させることで内径の異なる腕時計やブレスレットを簡単に保持することができる。この場合、ホルダ自体は腕時計のバンドやブレスレットの内側に隠れてしまって目立つことはない。
【００１９】
【発明の実施の形態】
以下、本発明の実施の態様を図面に基づいて説明する。
【００２０】
図１に、本発明に係る展示装置の外観斜視図が示されており、図４に、その正面図が示されている。この展示装置は、箱形に形成されたケース１を左右のスタンド２で支持した構造となっており、ケース１の前面に円板状の旋回台３が前後方向に向かう軸心Ｘ周りに旋回可能に配備されるとともに、旋回台３には一対のホルダ４が備えられている。
【００２１】
前記ケース１は、左右のスタンドの頂部に横軸心Ｙ周りに回動調節可能に支持されており、その前面の向きを任意に変更調節することが可能となっている。そして、図５，図６に示すように、このケース１の内部には、減速機付きのモータ５がステー６を介して配備されており、このモータ５の出力軸５ａに前記旋回台３がその中心をモータ出力軸軸心Ｘと一致させて連結されている。
【００２２】
この実施の形態では、ケース１は、その前面の向きを任意に変更調節可能としたけれども、本発明の他の実施の形態として、その前面の向きを、自動巻き上げできるように、ケース１が傾斜した一定の角度になるように固定したものであってもよい。この場合は、変更調節可能な構成に比べて、コストの低減を図ることができる。
【００２３】
旋回台３は、ケース１の前面に形成された円形の開口７に、ケース前面と面一となるように嵌め入れられており、旋回軸心Ｘに対する対角位置に、一対の前記ホルダ４が自転可能に配備されている。詳しくは、旋回台３の裏面に装着した軸受けブラケット８に旋回軸心Ｘと平行な軸心Ｚ周りに回転自在に支軸９が装着されるとともに、この支軸９の端部が旋回台前面に突出され、その突出端に連結した回転部材１０に前記ホルダ４が装着されている。
【００２４】
ホルダ４は、２０数ｍｍ程度の幅の板バネ材をＣ形に屈曲して構成されたものであり、その周方向の中央部位が回転部材１０の片持ちアーム部１０ａにネジ連結されている。
【００２５】
また、前記支軸９にはピニオンギヤ１１が設けられるとともに、ケース１の内面には、このピニオンギヤ１１に咬合される内歯ギヤ１２が旋回軸心Ｘと同心に連結されている。なお、モータ取り付け用の前記ステー６は、この内歯ギヤ１２の外側面に連結されている。
【００２６】
ここで、前記モータ５は、１分間に数回程度の速度で旋回台３をゆっくり回転駆動するように構成されており、これに伴って、旋回台３上のホルダ４は、旋回軸心Ｘ周りに公転しながら、旋回台の１回転に対して数回、例えば５回、公転方向と逆方向に自転することになる。
【００２７】
本発明の展示装置は以上のように構成されており、ホルダ４に自動巻き腕時計Ｗを、図３に示されるように、嵌め付け保持させた状態で旋回台３を旋回させることで、ホルダ４に保持された腕時計Ｗは公転しながら自転することになり、内蔵した振り子が揺動されてネジの自動巻上げが行われる。
【００２８】
この場合、モータ５は１回転するごとに逆転するよう設定されており、これに伴って各ホルダ４の公転方向および自転方向が切換えられる。したがって、左回転によってネジの巻き上げが行われるタイプの腕時計または右回転によってネジの巻き上げが行われるタイプの腕時計のいずれのタイプの腕時計のネジの自動巻き上げが可能である。
【００２９】
また、ケース１の外面に備えた図１あるいは図２に示される操作部１３の調節操作によって、モータ５の連続作動時間をタイマーにより設定変更して、腕時計Ｗの種類に応じてネジ巻上げ時間を選択したり、あるいは、タイマーによって毎日決められた時間ごとにモータ５を作動させることも可能となっている。
【００３０】
また、自動巻きでない腕時計やブレスレットなどの商品を各ホルダ４に装着して店頭やショウウインドウに置くことで、面白い動きで人の目を引く展示とすることができ、販売の促進に寄与することができる。
【００３１】
また、図２に示すように、ケース１の前面には、飾り縁取りされた透視用のガラス窓１５を備えたカバーケース１６がピン１７および差込み孔１８を介して脱着可能となっている。このカバーケース１６は、埃除けに利用したり、あるいは、展示効果を高めるために必要に応じて利用される。
【００３２】
なお、本発明は、以下のような形態で実施することも可能である。
【００３３】
（１）ホルダ４を３個あるいはそれ以上の複数個備えることもできる。旋回台３の径を大きくして多数個のホルダ４を環状に配備すると、メリーゴーランド様に展示物が公転および自転することになって、興味をそそる展示が可能となる。
【００３４】
（２）複数のホルダ４ごとにピニオンギヤ１１の径を変えておくと、各ホルダ４が互いに異なった回転速度で自転することになり、更に面白い展示が可能となる。
【００３５】
【発明の効果】
以上の説明から明らかなように、本発明によれば以下に示すような効果が期待できる。
【００３６】
請求項１に係る発明によれば、腕時計や宝飾品などを保持する複数のホルダを公転させながら自転させるように構成したので、複数個の自動巻き腕時計のネジ巻上げを効率よく行うことができるとともに、腕時計のみならずブレスレットなどの宝飾品を装着することで、複雑な動きで注目度の高い展示を行うことができる。
【００３７】
請求項２に係る発明によれば、ホルダを１回の公転に対して複数回自転させるようにしたので、腕時計の自動ネジ巻上げを効率良く行うことができるとともに、展示に使用した場合には、一層興味深い動きで注目されやすい展示を行うことができる。
【００３８】
請求項３に係る発明によれば、旋回台を支持したケースの姿勢を調節して、複数のホルダを前面に装着した旋回台の向きを任意に変更調節できるようにしたので、目立ちやすい姿勢でホルダを公転および自転作動させることができ、注目度の高い展示を行うことができる。
【００３９】
請求項４に係る発明によれば、Ｃ形のバネ板材からなるホルダを利用することで、径の異なる腕時計やブレスレットを簡単に保持することができるとともに、ホルダ自体を腕時計のバンドやブレスレットの内側に隠して目立たなくしておくことができ、展示効果を高める上で有効となる。
【図面の簡単な説明】
【図１】本発明に係る展示装置の外観斜視図である。
【図２】カバーケースを装着した展示装置の外観斜視図である。
【図３】展示装置の側面図である。
【図４】展示装置の正面図である。
【図５】駆動部の背面図である。
【図６】要部の縦断側面図である。
【符号の説明】
１                ケース
２                スタンド
３                旋回台
４                ホルダ
【図１】
2004212266.tif 000003
【図２】
2004212266.tif 000004
【図３】
2004212266.tif 000005
【図４】
2004212266.tif 000006
【図５】
2004212266.tif 000007
【図６】
2004212266.tif 000008